(57)【要約】  本発明の実施形態が、アプリケーションオブジェクトを迅速に呼び出し、ユーザ体験を向上させるのに使用される、アプリケーションオブジェクトを呼び出すための方法、およびモバイル端末装置を提供する。本発明の或る実施形態は、モバイル端末装置の動き状態および傾斜角度を獲得すること、およびモバイル端末装置の動き状態および傾斜角度が事前設定された条件を満たすと、アプリケーションオブジェクトを呼び出し、ただし、アプリケーションオブジェクトは、アプリケーション設定、動作パラメータ設定、およびアプリケーションショートカットのうちの少なくとも1つを含むことを含む。
2015526777.tif 000002
【特許請求の範囲】
【請求項１】
アプリケーションオブジェクトを呼び出すための方法であって、
モバイル端末装置の動き状態および傾斜角度を獲得するステップと、
前記モバイル端末装置の前記動き状態および前記傾斜角度が事前設定された条件を満たすと、アプリケーションオブジェクトを呼び出すステップであって、前記アプリケーションオブジェクトは、アプリケーション設定、動作パラメータ設定、およびアプリケーションショートカットのうちの少なくとも1つを備える、ステップとを備える方法。
【請求項２】
前記モバイル端末装置の前記動き状態および前記傾斜角度が事前設定された条件を満たすかどうかを判定するステップは、
前記モバイル端末装置の加速度が事前設定されたしきい値以下であると判定し、さらに前記モバイル端末装置の前記傾斜角度が事前設定された傾斜範囲を満たすと判定した場合、前記モバイル端末装置の前記動き状態および前記傾斜角度が前記事前設定された条件を満たすと判定するステップを備える請求項1に記載の方法。
【請求項３】
前記モバイル端末装置の前記傾斜角度が事前設定された傾斜範囲を満たすことを判定する前記ステップの前に、
前記モバイル端末装置がロック解除された状態にあることを判定するステップをさらに備える請求項2に記載の方法。
【請求項４】
前記アプリケーションオブジェクトを呼び出す前記ステップの前に、
前記モバイル端末装置の現在のインターフェース上で実行されているアプリケーションを獲得するステップをさらに備え、
前記アプリケーションオブジェクトを呼び出す前記ステップは、特に、
前記モバイル端末装置の前記現在のインターフェース上で実行されている前記アプリケーションに対応するアプリケーション設定を呼び出す、または前記モバイル端末装置の前記現在のインターフェース上で実行されている前記アプリケーションに対応する動作パラメータ設定を呼び出す、または前記モバイル端末装置の前記現在のインターフェース上で実行されている前記アプリケーションに対応するアプリケーションショートカットを呼び出すステップを備える請求項1から3のいずれか一項に記載の方法。
【請求項５】
前記現在のインターフェース上で実行されている前記獲得されたアプリケーションが、ビデオ再生である場合、前記ビデオ再生を一時停止して、情報ショートカット、キーボードショートカット、連絡先ショートカット、ブラウザショートカット、および背景で実行されているアプリケーションのショートカットのうちの1つまたは複数のショートカットの組み合わせを呼び出すステップをさらに備える請求項4に記載の方法。
【請求項６】
前記現在のインターフェース上で実行されている前記獲得されたアプリケーションが、ウェブページブラウズである場合、ブラウズされるウェブページのサムネイル画像を呼び出すステップをさらに備える請求項4に記載の方法。
【請求項７】
前記現在のインターフェース上で実行されている前記獲得されたアプリケーションが、電子書籍ブラウズである場合、以下のアプリケーション設定、すなわち、お気に入りを追加すること、明るさを調整すること、セクションを表示すること、およびフォントサイズを調整することのうちの1つまたは複数の設定の組み合わせを呼び出すことをさらに備える請求項4に記載の方法。
【請求項８】
モバイル端末装置の動き状態を獲得するように構成された加速度センサと、
モバイル端末装置の傾斜角度を獲得するように構成されたジャイロスコープセンサと、
前記加速度センサによって獲得された前記動き状態、および前記ジャイロスコープセンサによって獲得された前記傾斜角度が事前設定された条件を満たすと、アプリケーションオブジェクトの呼び出しを制御するように構成され、前記アプリケーションオブジェクトは、アプリケーション設定、動作パラメータ設定、およびアプリケーションショートカットのうちの少なくとも1つを備えるコントローラと、
前記呼び出されたアプリケーションオブジェクトを表示するように構成されたディスプレイとを備えるモバイル端末装置。
【請求項９】
前記加速度センサは、モバイル端末装置の加速度が事前設定されたしきい値以下であることを判定するように特に構成され、
前記ジャイロスコープセンサは、モバイル端末装置の前記傾斜角度が事前設定された傾斜範囲を満たすことを判定するように特に構成され、さらに
前記コントローラは、前記加速度センサによって獲得された前記加速度が事前設定されたしきい値以下であり、さらに前記ジャイロスコープセンサによって獲得された前記傾斜角度が前記事前設定された傾斜範囲を満たす場合、モバイル端末装置の前記動き状態および前記傾斜角度が事前設定された条件を満たすと判定し、さらに前記アプリケーションオブジェクトを呼び出すように特に構成される請求項8に記載のモバイル端末装置。
【請求項１０】
前記コントローラは、前記ジャイロスコープセンサが、モバイル端末装置の前記傾斜角度が前記事前設定された傾斜範囲を満たすことを判定する前に、モバイル端末装置が、ロック解除された状態にあることを判定するようにさらに構成される請求項9に記載のモバイル端末装置。
【請求項１１】
前記アプリケーションオブジェクトの前記呼び出しを制御する前に、前記コントローラは、現在のインターフェース上で実行されているアプリケーションを獲得するようにさらに構成され、前記現在のインターフェース上で実行されている前記アプリケーションを獲得した後に、前記コントローラは、モバイル端末装置の前記現在のインターフェース上で実行されている前記アプリケーションに対応するアプリケーション設定、またはモバイル端末装置の前記現在のインターフェース上で実行されている前記アプリケーションに対応する動作パラメータ設定、またはモバイル端末装置の前記現在のインターフェース上で実行されている前記アプリケーションに対応するアプリケーションショートカットを呼び出す請求項8から10のいずれか一項に記載のモバイル端末装置。
【請求項１２】
前記現在のインターフェース上で実行されており、さらに前記コントローラによって獲得された前記アプリケーションが、ビデオ再生である場合、前記コントローラは、前記ビデオ再生を一時停止することを制御し、さらに
前記ディスプレイは、情報ショートカット、キーボードショートカット、連絡先ショートカット、ブラウザショートカット、および背景で実行されているアプリケーションのショートカットのうちの1つまたは複数のショートカットの組み合わせを表示するように構成される請求項11に記載のモバイル端末装置。
【請求項１３】
前記現在のインターフェース上で実行されており、さらに前記コントローラによって獲得された前記アプリケーションが、ウェブページブラウズである場合、前記ディスプレイは、ブラウズされるウェブページのサムネイル画像を表示するように構成される請求項11に記載のモバイル端末装置。
【請求項１４】
前記現在のインターフェース上で実行されており、さらに前記コントローラによって獲得された前記アプリケーションが、電子書籍ブラウズである場合、前記ディスプレイは、以下のアプリケーション設定、すなわち、お気に入りを追加すること、明るさを調整すること、セクションを表示すること、およびフォントサイズを調整することのうちの1つまたは複数の組み合わせを表示するように構成される請求項11に記載のモバイル端末装置。
【発明の詳細な説明】
【技術分野】
【０００１】
関連出願の相互参照
本出願は、参照により全体が本明細書に組み込まれている、2012年6月21日に中国特許庁に出願した、「METHOD FOR CALLING APPLICATION OBJECT AND MOBILE TERMINAL」という名称の中国特許出願第201210207105.5号の優先権を主張するものである。
【０００２】
本発明は、通信技術の分野に関し、詳細には、アプリケーションオブジェクトを呼び出すための方法、およびモバイル端末装置に関する。
【背景技術】
【０００３】
モバイル通信の急速な発展とともに、現在のすべてのモバイル端末装置上で豊富なアプリケーションが実行されている。さらに、多くのアプリケーションが、ユーザが選択する様々なアプリケーションオブジェクトを提供し、アプリケーションオブジェクトとは、アプリケーション設定、動作パラメータ設定、およびアプリケーションショートカットを指す。
【０００４】
しかし、実際の動作中、ユーザがアプリケーションを切り換える際、いくつかの物理的ボタンが、ユーザが選択するように与えられる必要があることが分っており、ただし、それらの物理的ボタンは、ビジュアルでなく、便利でもなく、劣悪なユーザ体験をもたらす、モバイル端末装置の筐体上に配置されたマルチタスクボタンやメニューボタンなどのボタンである。さらに、フルタッチスクリーンモバイル端末装置の出現および発展とともに、ハードボタンが、もはや次第に使用されなくなる傾向にあることに気付くのは難しくなく、例えば、iPhoneモバイル電話機の画面の下部にある終了ボタンは、もはや使用されず、Androidモバイル電話機の画面の下部にある4つの機能ボタンは、もはや使用されない。この場合、アプリケーションをどのように迅速に切り換えて、アプリケーションオブジェクトを呼び出すかは、ユーザ体験に影響する非常に重要な要因となっている。
【発明の概要】
【課題を解決するための手段】
【０００５】
本発明の実施形態は、アプリケーションオブジェクトを迅速に呼び出し、ユーザ体験を向上させるのに使用される、アプリケーションオブジェクトを呼び出すための方法、およびモバイル端末装置を提供する。
【０００６】
以上のことに鑑みて、本発明の実施形態は、以下を提供する。
【０００７】
アプリケーションオブジェクトを呼び出すための方法が、
モバイル端末装置の動き状態および傾斜角度を獲得すること、および
モバイル端末装置の動き状態および傾斜角度が事前設定された条件を満たすと、アプリケーションオブジェクトを呼び出し、ただし、アプリケーションオブジェクトは、アプリケーション設定、動作パラメータ設定、およびアプリケーションショートカットのうちの少なくとも1つを含むことを含む。
【０００８】
モバイル端末装置は、
モバイル端末装置の動き状態を獲得するように構成された加速度センサと、
モバイル端末装置の傾斜角度を獲得するように構成されたジャイロスコープセンサと、
加速度センサによって獲得された動き状態、およびジャイロスコープセンサによって獲得された傾斜角度が事前設定された条件を満たすと、アプリケーションオブジェクトの呼び出しを制御するように構成され、ただし、アプリケーションオブジェクトは、アプリケーション設定、動作パラメータ設定、およびアプリケーションショートカットのうちの少なくとも1つを含むコントローラと、
呼び出されたアプリケーションオブジェクトを表示するように構成されたディスプレイとを含む。
【０００９】
前述の技術的ソリューションから理解され得るとおり、本発明の実施形態において提供されるアプリケーションオブジェクトを呼び出すための方法、およびモバイル端末装置によれば、モバイル端末装置の状態変化が、ユーザの意識した操作と見なされ、アプリケーションオブジェクトが呼び出される必要があるかどうかが、モバイル端末装置の動き状態および傾斜角度に応じて判定される。このことは、便利で、効率的であるとともに、動作させるのが容易であり、その結果、ユーザ体験を向上させる。
【００１０】
本発明の実施形態における技術的ソリューションをより明確に説明するのに、以下に、それらの実施形態を説明するのに要求される添付の図面を簡単に概説する。明らかに、以下の説明における添付の図面は、本発明の一部の実施形態だけを示すに過ぎず、当業者は、独創的な取り組みなしに、これらの添付の図面から他の図面をさらに導き出すことができる。
【図面の簡単な説明】
【００１１】
【図１】本発明の或る実施形態によるアプリケーションオブジェクトを呼び出すための方法を示す流れ図である。
【図２】本発明の或る実施形態によるアプリケーションオブジェクトを呼び出すための別の方法を示す流れ図である。
【図３ａ】本発明の或る実施形態によるアプリケーションオブジェクトを呼び出すための方法の概略プロセスを示す図である。
【図３ｂ】本発明の或る実施形態によるアプリケーションオブジェクトを呼び出すための方法の概略プロセスを示す図である。
【図４】本発明の或る実施形態によるアプリケーションオブジェクトを呼び出すための別の方法を示す流れ図である。
【図５】本発明の或る実施形態によるアプリケーションオブジェクトを呼び出すための別の方法を示す流れ図である。
【図６】本発明の或る実施形態によるモバイル端末装置を示す概略構造図である。
【発明を実施するための形態】
【００１２】
本発明の実施形態は、アプリケーションオブジェクトを迅速に呼び出し、ユーザ体験を向上させるのに使用される、アプリケーションオブジェクトを呼び出すための方法、およびモバイル端末装置を提供する。
【００１３】
以下に、本発明の実施形態における添付の図面を参照して、本発明の実施形態における技術的ソリューションを明確に、完全に説明する。明らかに、説明される実施形態は、本発明の実施形態のすべてではなく、一部分に過ぎない。独創的な取り組みなしに本発明の実施形態に基づいて当業者によって得られる他のすべての実施形態が、本発明の保護範囲に含まれるものとする。
【００１４】
以下に、本発明の実施形態のそれぞれを詳細に説明する。
【００１５】
図1を参照すると、図1は、本発明の或る実施形態によるアプリケーションオブジェクトを呼び出すための方法の流れ図であり、ただし、この方法は、以下を含む、すなわち、
【００１６】
ステップ11:モバイル端末装置の動き状態および傾斜角度を獲得する。
【００１７】
ステップ12:モバイル端末装置の動き状態および傾斜角度が事前設定された条件を満たす場合、アプリケーションオブジェクトを呼び出し、ただし、アプリケーションオブジェクトは、アプリケーション設定、動作パラメータ設定、およびアプリケーションショートカットのうちの少なくとも1つを含む。
【００１８】
この方法を実行するのは、モバイル端末装置であり得る。
【００１９】
実際の動作において、アプリケーションオブジェクトにおけるアプリケーション設定は、ボリュームサイズ設定、フォントサイズ設定などであることが可能であり、動作パラメータは、チャットレコード、ブラウズレコード、歌詞などであることが可能であり、さらにアプリケーションショートカットは、ブラウザショートカット、マイクロブログショートカット、ゲームショートカット、背景で実行されているアプリケーションのショートカット、情報ショートカット、キーボードショートカット、連絡先ショートカットなどのうちの1つまたは複数のショートカットの組み合わせであり得るものと理解され得る。このことは、本明細書で特に限定されない。
【００２０】
以上のことから理解され得るとおり、本発明のこの実施形態において提供されるアプリケーションオブジェクトを呼び出すための方法において、モバイル端末装置の状態変化が、ユーザの意識した操作と見なされ、アプリケーションオブジェクトが呼び出される必要があるかどうかが、モバイル端末装置の動き状態および傾斜角度に応じて判定される。このことは、便利で、効率的であるとともに、動作させるのが容易であり、その結果、ユーザ体験を向上させる。
【００２１】
オプションとして、本発明の或る実施形態によるアプリケーションオブジェクトを呼び出すための別の方法の流れ図である図2に示されるとおり、モバイル端末装置の動き状態および傾斜角度が事前設定された条件を満たすかどうかを判定することは、モバイル端末装置の加速度が事前設定されたしきい値以下であると判定され、さらにモバイル端末装置の傾斜角度が事前設定された傾斜範囲を満たすと判定された場合、モバイル端末装置の動き状態および傾斜角度が事前設定された条件を満たすと判定することを含み得る。
【００２２】
オプションとして、一部の実施様態において、モバイル端末装置の加速度が事前設定されたしきい値以下であることがまず、判定されることが可能であり、次に、モバイル端末装置の傾斜角度が、判定される。このシナリオに基づいて、ステップ12は、以下を含み得る。すなわち、
【００２３】
ステップ12-1:モバイル端末装置の加速度が事前設定されたしきい値以下であることを判定する。
【００２４】
オプションとして、この実施様態において、加速度センサが、モバイル端末装置の加速度が事前設定されたしきい値以下であるかどうかを判定するのに使用されてもよい。
【００２５】
英語の名称が「acceleration sensor」である加速度計は、加速度を検知することができ、さらにその加速度を利用可能な出力信号に変換することができるセンサであるものと理解され得る。一般に、加速度計は、加速度により結晶変形が生じるという内部特徴を利用する。この変形が電圧を発生させるため、加速度は、発生する電圧と課せられた加速度の間の関係が計算される限り、電圧出力に変換され得る。
【００２６】
本発明のこの方法実施形態において、モバイル端末装置の加速度が事前設定されたしきい値以下であると判定された場合、モバイル端末装置は、比較的安定した状態にあると見なされることが可能であり、ただし、この比較的安定した状態は、例えば、モバイル端末装置が卓上に静止していること、ユーザが、大きい振幅の動きを行わずにモバイル端末装置を保持していること、およびユーザが、一定の速度で移動している車内でモバイル端末装置を携帯していること、またはそのような車内にモバイル端末装置を置いていることを含み得る。逆に、モバイル端末装置の加速度が事前設定されたしきい値より大きいと判定された場合、モバイル端末装置は、比較的安定した状態にはないと見なされる。この場合、モバイル端末装置は、現在の動き状態を保つこと、ユーザのニーズに応じて使用されることなどが可能である。このことは、本発明のこの実施形態において特に限定されない。
【００２７】
従来技術において、加速度センサは、3つの軸、X軸、Y軸、およびZ軸を含むものと見なされ得る。モバイル端末装置が比較的安定した状態にある場合、加速度センサの出力加速度値は、0であり、つまり、X軸上、Y軸上、およびZ軸上の加速度ベクトルの合計が0であるはずである。0は、理論上の基準値に過ぎないものと理解され得る。実際の動作の際、加速度センサの誤差、および温度変化が測定精度に影響するため、事前設定されたしきい値が、判定を行うのに使用されて、誤ったトリガを回避することが可能である。つまり、加速度値が事前設定されたしきい値以下である場合、モバイル端末装置は、比較的安定した状態にあると見なされることが可能であり、逆に、加速度値が事前設定されたしきい値より大きい場合、モバイル端末装置は、比較的安定した状態にはないと見なされることが可能である。したがって、加速度センサの加速度情報は、モバイル端末装置の動き状態を獲得するのに使用され得る。
【００２８】
さらに、モバイル端末装置の加速度が事前設定されたしきい値以下であると判定された(ステップ12-1)後、方法は、以下をさらに含み得る。すなわち、
【００２９】
ステップ12-2:モバイル端末装置の傾斜角度が事前設定された傾斜角度範囲を満たすことを判定する。
【００３０】
オプションとして、この実施様態において、ジャイロスコープセンサが、モバイル端末装置の傾斜角度が事前設定された傾斜範囲を満たすかどうかを判定するのに使用され得る。
【００３１】
ジャイロスコープセンサは、動く物体の位置を正確に測定することができる計器であるものと理解され得る。ジャイロスコープセンサの動作原理は、以下のとおりである。すなわち、回転する物体の回転軸の指示方向が外力による影響を受けない場合、回転する物体の回転軸は、変わらないままであり、ジャイロスコープセンサは、この原理に従って方向を維持して、次に、その軸の指示方向を読み取り、さらにデータ信号を制御システムに自動的に送信する。
【００３２】
実際の動作の際、ジャイロスコープセンサは、360度の角度を検出し、傾斜角度が事前設定された傾斜範囲を満たすかどうかを判定することができる。オプションとして、事前設定された傾斜範囲は、15度から75度までの範囲の傾斜角度に設定され得る、つまり、モバイル端末装置の傾斜角度が15度から75度までである場合、その傾斜角度は、事前設定された傾斜範囲を満たすものと見なされることが可能であり、次に、アプリケーションオブジェクトが呼び出されることが、実践を通して判明している。
【００３３】
また、ジャイロスコープセンサは、3つの軸、X軸、Y軸、およびZ軸を含み、ジャイロスコープセンサの出力データは、前述した3つの軸を中心として回転する角速度と見なされることも可能である。モバイル端末装置が垂直に配置された場合、垂直画面方向が、ジャイロスコープセンサのY軸方向である。モバイル端末装置が左または右に傾けられ、その後、正常位置にされた場合、ジャイロスコープセンサは、Y軸を中心として回転する角速度に対して時間積分を実行して、モバイル端末装置が左または右に傾けられた際の角変位を獲得することができ、ただし、角変位とは、モバイル端末装置が垂直に配置された際の、左に傾くこと、または右に傾くことのラジアン、つまり、傾斜角度を指す。したがって、ジャイロスコープセンサのこの特徴を使用することによって、モバイル端末装置が垂直に配置された際の、左または右に傾くことの動き状態が、識別され得る。
【００３４】
さらに、モバイル端末装置の傾斜角度が事前設定された傾斜範囲を満たすと判定された(ステップ12-2)後、方法は、以下をさらに含み得る。すなわち、
【００３５】
ステップ12-3:アプリケーションオブジェクトを呼び出す。
【００３６】
オプションとして、モバイル端末装置の加速度が事前設定されたしきい値以下であると判定され、さらにモバイル端末装置の傾斜角度が事前設定された傾斜範囲を満たすと判定された場合、モバイル端末装置の動き状態および傾斜角度は、事前設定された条件を満たすと判定されることが可能であり、次に、アプリケーションオブジェクトが呼び出される。
【００３７】
アプリケーションオブジェクトは、アプリケーション設定、動作パラメータ設定、およびアプリケーションショートカットのうちの少なくとも1つを含み得る。ユーザは、呼び出されたアプリケーションオブジェクトを、様々なシナリオおよびアプリケーションに応じて設定することができる。例えば、アプリケーション設定を呼び出すことは、ボリュームサイズ設定またはフォントサイズ設定を呼び出すことであることが可能であり、動作パラメータを呼び出すことは、チャットレコード、ブラウズレコード、および歌詞を呼び出すことであることが可能であり、さらに呼び出されるプログラムショートカットは、ブラウザショートカット、マイクロブログショートカット、ゲームショートカット、背景で実行されているアプリケーションのショートカット、情報ショートカット、キーボードショートカット、および連絡先ショートカットのうちの1つまたは複数のショートカットの組み合わせであり得る。逆に、モバイル端末装置の傾斜角度が事前設定された傾斜角度を満たさないと判定された場合、つまり、その傾斜角度が事前設定された条件を満たさない場合、ユーザは、アプリケーションオブジェクトを呼び出す意図も必要性も有さないと見なされ得る。この場合、モバイル端末装置上で現在、実行されているアプリケーションまたはタスクが維持され得る。このことは、本発明のこの実施形態において特に限定されない。
【００３８】
図3aに示される本発明のこの方法実施形態において、モバイル端末装置は、モバイル電話機1であるものと想定される。一般に、モバイル電話機画面2のインターフェースが、メインインターフェースである場合、情報ショートカット、連絡先ショートカット、ダイヤルアップショートカット、およびブラウザショートカットが、ユーザが選択するようにインターフェースの下部に配置され得る。モバイル電話機1が、比較的安定した状態にある場合、つまり、モバイル電話機の加速度が事前設定されたしきい値以下であると判定され、さらにモバイル電話機1の傾斜角度が、事前設定された傾斜範囲を満たすと判定された場合、この状態を変化させることは、ユーザの意識した操作であると見なされることが可能であり、したがって、事前設定されたアプリケーションオブジェクト3が、迅速に呼び出され、ただし、呼び出されるアプリケーションオブジェクト3は、図3bに示されるとおり、何らかの一般的に使用されるアプリケーションショートカットであり得る。ユーザは、呼び出されるアプリケーションオブジェクト3を、操作するのが容易であり、本明細書で特に限定されない、様々なシナリオおよびニーズに応じて事前設定することが可能であるものと理解され得る。
【００３９】
以上のことから理解され得るとおり、本発明のこの実施形態において提供されるアプリケーションオブジェクトを呼び出すための方法において、加速度センサおよびジャイロスコープセンサが、モバイル端末装置の状態を判定するのに使用され、その加速度センサおよびジャイロスコープセンサは、比較的感度が高いため、アプリケーションオブジェクトが呼び出されるように、モバイル端末装置の動き状態および傾斜角度が事前設定された状態を満たすことが正確に判定されることが可能であり、このことが、ユーザ操作を簡略化し、ユーザ体験を向上させる。
【００４０】
オプションとして、本発明の或る実施形態によるアプリケーションオブジェクトを呼び出すための別の方法の流れ図である図4に示されるとおり、モバイル端末装置の傾斜角度が事前設定された傾斜範囲を満たすことが判定される(ステップ12-2)前に、方法は、以下をさらに含み得る。すなわち、
【００４１】
ステップ12-1-a:モバイル端末装置がロック解除された状態にあることを判定する。
【００４２】
モバイル端末装置が、ロック解除された状態にあると判定された場合、モバイル端末装置の傾斜角度が事前設定された傾斜範囲を満たすかどうかを判定するステップが、トリガされる。
【００４３】
モバイル端末装置が、ロックされた状態にあると判定された場合、ユーザは、モバイル端末装置がロック解除された状態にある際にモバイル端末装置を操作する必要があるため、ユーザは、モバイル端末装置を操作する意図も必要性も有さないものと見なされ得るものと理解され得る。モバイル端末装置がロック解除された状態にあると判定された後、モバイル端末装置の傾斜角度が事前設定された傾斜範囲を満たすかどうかが判定される。
【００４４】
オプションとして、図5に示されるとおり、アプリケーションオブジェクトが呼び出される(ステップ12-3)前に、方法は、以下をさらに含み得る。すなわち、
【００４５】
ステップ12-2-a:モバイル端末装置の現在のインターフェース上で実行されているアプリケーションを獲得する。
【００４６】
本発明のこの実施様態において、モバイル端末装置の動き状態および傾斜角度が事前設定された条件を満たすと判定され、さらに現在のインターフェース上で実行されるアプリケーションが獲得された後、モバイル端末装置は、そのアプリケーションに対応するアプリケーションオブジェクトを自動的に呼び出すことが可能である。現在のインターフェース上で実行されているアプリケーションとは、現在のインターフェース上に表示された実行中のアプリケーションを指し、ユーザによって閉じられておらず、背景で依然として実行中であるアプリケーションは含まないことに留意されたい。
【００４７】
アプリケーションに対応するアプリケーションオブジェクトを呼び出すオプションの実施様態は、以下のとおりである。すなわち、モバイル端末装置が、現在のインターフェース上で実行されている獲得されたアプリケーションに応じて、アプリケーションとアプリケーションオブジェクトの間の事前設定された対応表を検索して、そのアプリケーションに対応するアプリケーションオブジェクトを獲得して、呼び出す。
【００４８】
アプリケーションとアプリケーションオブジェクトの間の対応表は、モバイル端末装置において事前設定されているものと理解され得る。この実施様態において、アプリケーションオブジェクトは、アプリケーション設定、動作パラメータ設定、およびアプリケーションショートカットのうちの少なくとも1つを含み得る。
【００４９】
さらに、本発明のこの実施形態において、アプリケーションとアプリケーションオブジェクトの間の対応情報は、拡張マークアップ言語（Extensible Markup Language、XML）構成ファイルを使用することによって記録されることも可能であり、このことは、本明細書において特に限定されない。
【００５０】
この実施様態において、ステップ12-2-aの後、アプリケーションオブジェクトを呼び出すこと(ステップ12-3)は、以下を特に含み得る。すなわち、
【００５１】
ステップ12-3-1:モバイル端末装置の現在のインターフェース上で実行されているアプリケーションに対応するアプリケーション設定を呼び出す。
【００５２】
ステップ12-3-2:モバイル端末装置の現在のインターフェース上で実行されているアプリケーションに対応する動作パラメータ設定を呼び出す。
【００５３】
ステップ12-3-3:モバイル端末装置の現在のインターフェース上で実行されているアプリケーションに対応するアプリケーションショートカットを呼び出す。
【００５４】
現在のインターフェース上で実行されているアプリケーションが獲得された(ステップ12-2-a)後、ステップ12-3-1、ステップ12-3-2またはステップ12-3-3が実行されることが可能であり、つまり、本明細書で特に限定されない、アプリケーション設定、動作パラメータ設定、またはショートカットが、呼び出されることが可能であることに留意されたい。
【００５５】
ステップ12-3-1に対応して、現在のインターフェース上で実行されている獲得されたアプリケーションが、電子書籍ブラウズである場合、電子書籍ブラウズに対応するアプリケーション設定を呼び出すことが、以下のアプリケーション設定、すなわち、お気に入りを追加すること、明るさを調整すること、セクションを表示すること、およびフォントサイズを調整することのうちの1つまたは複数の設定の組み合わせを呼び出すことであることが可能であり、ステップ12-3-2に対応して、現在のインターフェース上で実行されている獲得されたアプリケーションが、ウェブページブラウズである場合、ウェブページブラウズに対応する動作設定を呼び出すことが、ブラウズされるウェブページのサムネイル画像を呼び出すことであることが可能であり、ステップ12-3-3に対応して、現在のインターフェース上で実行されている獲得されたアプリケーションが、ビデオ再生である場合、ビデオ再生が一時停止され、ビデオ再生に対応するアプリケーションショートカットを呼び出すことが、情報ショートカット、キーボードショートカット、連絡先ショートカット、ブラウザショートカット、および背景で実行されているアプリケーションのショートカットのうちの1つまたは複数のショートカットの組み合わせを呼び出すことであることが可能であるものと理解され得る。
【００５６】
前述のことから理解され得るとおり、本発明のこの実施形態において提供されるアプリケーションオブジェクトを呼び出すための方法において、アプリケーションオブジェクトが呼び出される際、モバイル端末装置の現在のインターフェース上で実行されているアプリケーションがまず、獲得され、次に、そのアプリケーションに対応するアプリケーションオブジェクトが、そのアプリケーションに応じて呼び出され、ただし、アプリケーションオブジェクトは、ユーザによって事前設定されていることが可能であり、したがって、呼び出されるアプリケーションオブジェクトは、より適切であり、ユーザ要件をよりよく満たし、このことが、ユーザ体験を大幅に向上させる。
【００５７】
本発明の技術的ソリューションをより分りやすくするのに、本発明のこの実施形態において提供される方法が、以下のいくつかの特定の応用シナリオを使用することによって分析され、説明される。説明される応用シナリオにおいて、モバイル端末装置は、モバイル電話機であるものと想定される。
【００５８】
本発明のこの実施形態の1つの応用シナリオにおいて、モバイル電話機の現在のインターフェース上で実行されている獲得されたアプリケーションがビデオ再生である場合、つまり、ユーザが、モバイル電話機を使用することによってビデオを観ている場合、モバイル電話機の画面は、ビデオを全画面表示で表示しているインターフェースである。ユーザが、この時点でショートメッセージを送信する必要がある場合、ユーザは、モバイル電話機を或る角度に傾けるだけでよく、傾斜角度が事前設定された傾斜角度範囲を満たし、事前設定された傾斜角度範囲が、15度から75度までである場合、ビデオ画像が自動的に一時停止され、その一方で、設定されたアプリケーションオブジェクトが画面上に表示され、そのアプリケーションオブジェクトが、アプリケーションショートカットである場合、そのアプリケーションショートカットは、情報ショートカット、キーボードショートカット、連絡先ショートカット、ブラウザショートカット、および背景で実行されているアプリケーションのショートカットのうちの1つまたは複数のショートカットの組み合わせを含み得る。この時点で、ユーザは、ショートメッセージを編集するようにモバイル電話機の画面上の情報ショートカットをクリックするだけでよい。
【００５９】
アプリケーションオブジェクトは、ユーザ要件に応じて、他の1つまたは複数の一般的なプログラムショートカットに設定されることも可能であるものと理解され得る。ショートメッセージの編集および送信が完了した後、モバイル電話機の画面は、ビデオインターフェースに自動的に戻るように設定され得る。
【００６０】
本発明のこの実施形態の別のアプリケーションシナリオにおいて、モバイル電話機の現在のインターフェース上で実行されている獲得されたアプリケーションが、ウェブページブラウズである、つまり、ユーザが、モバイル電話機を使用することによってウェブページをブラウズしている場合、モバイル電話機の画面は、全画面表示でウェブページコンテンツを表示しているインターフェースである。ユーザが、前に開かれていたウェブページインターフェースを閲覧することを所望する場合、ユーザは、モバイル電話機を或る角度に傾けるだけでよく、その傾斜角度が、事前設定された傾斜角度範囲を満たす。この場合、画面は、ブラウズされるウェブページのサムネイル画像を表示する。この時点で、ユーザは、開かれる必要があるウェブページに入るようにそのウェブページのサムネイル画像をクリックするだけでよい。
【００６１】
この実施様態において、ブラウズされるウェブページのサムネイル画像は、モバイル電話機の現在のインターフェース上で実行されているアプリケーション(つまり、ウェブページブラウズ)に対応する動作パラメータ設定と見なされ得るものと理解され得る。
【００６２】
本発明のこの実施形態の別の応用シナリオにおいて、現在のインターフェース上で実行されている獲得されたアプリケーションが、電子書籍ブラウズである、つまり、ユーザが、モバイル電話機を使用することによって電子書籍をブラウズしている場合、モバイル電話機の画面は、全画面表示で電子書籍のコンテンツを表示しているインターフェースである。ユーザが、お気に入りを追加することを所望する場合、ユーザは、モバイル電話機を或る角度に傾けるだけでよく、その傾斜角度が、事前設定された傾斜角度範囲を満たす。この場合、画面は、設定されたアプリケーションオブジェクトを表示する。そのアプリケーションオブジェクトが、電子書籍ブラウズに対応するアプリケーション設定である場合、そのアプリケーション設定は、お気に入りを追加すること、明るさを調整すること、セクションを表示すること、およびフォントサイズを調整することのうちの1つまたは複数の組み合わせを含み得る。この時点で、ユーザは、お気に入り追加インターフェースに入るようにモバイル電話機の画面上のお気に入り追加アイコンをクリックするだけでよい。
【００６３】
お気に入りを追加することが完了した後、モバイル端末装置は、電子書籍ブラウズインターフェースに自動的に戻るように設定され得るものと理解され得る。
【００６４】
前述のことから理解され得るとおり、本発明の実施形態において提供されるアプリケーションオブジェクトを呼び出すための方法、およびモバイル端末装置によれば、モバイル端末装置の状態変化が、ユーザの意識した操作と見なされ、さらにアプリケーションオブジェクトが呼び出されるかどうかが、モバイル端末装置の状態に応じて判定され、このことは、便利で、効率的であるとともに、動作させるのが容易であり、さらにアプリケーションが、いずれのハードボタンも使用することなしに迅速に切り換えられることが可能であり、このことは、ユーザ体験を向上させるとともに、フルサイズの画面を有するモバイル端末装置の開発要件に適合する。さらに、ユーザが、傾けられた状態で様々なアプリケーションによって表示されるコンテンツを事前設定することができ、このことは、新たな人間-コンピュータ対話モデルである。
【００６５】
本発明の実施形態において提供される技術的ソリューションをよりうまく実施するように、本発明の或る実施形態は、前述の方法を実施するように構成された関連する装置をさらに提供する。この実施形態における用語の意味は、前述の方法における用語の意味と同一である。特定の実施の詳細に関して、方法実施形態における説明を参照することができる。
【００６６】
図6を参照すると、図6は、本発明の或る実施形態によるモバイル端末装置の概略構造図であり、モバイル端末装置は、
モバイル端末装置の動き状態を獲得するように構成された加速度センサ61と、
モバイル端末装置の傾斜角度を獲得するように構成されたジャイロスコープセンサ62と、
加速度センサ61によって獲得された動き状態、およびジャイロスコープセンサ62によって獲得された傾斜角度が事前設定された条件を満たした場合、アプリケーションオブジェクトの呼び出しを制御するように構成され、ただし、アプリケーションオブジェクトは、アプリケーション設定、動作パラメータ設定、およびアプリケーションショートカットのうちの少なくとも1つを含むコントローラ63と、
コントローラ63によって呼び出されたアプリケーションオブジェクトを表示するように構成されたディスプレイ64とを含む。
【００６７】
実際の動作の際、アプリケーションオブジェクトにおけるアプリケーション設定は、ボリュームサイズ設定、フォントサイズ設定などであることが可能であり、動作パラメータは、チャットレコード、ブラウズレコード、歌詞などであることが可能であり、さらにアプリケーションショートカットは、ブラウザショートカット、マイクロブログショートカット、ゲームショートカット、背景で実行されているアプリケーションのショートカット、情報ショートカット、キーボードショートカット、連絡先ショートカットなどのうちの1つまたは複数のショートカットの組み合わせであり得るものと理解されることが可能であり、このことは、本明細書で特に限定されない。
【００６８】
前述のことから理解され得るとおり、本発明の実施形態において提供されるモバイル端末装置によれば、モバイル端末装置の状態変化が、ユーザの意識した操作と見なされ、さらにアプリケーションオブジェクトが呼び出される必要があるかどうかが、モバイル端末装置の動き状態および傾斜角度に応じて判定される。このことは、便利で、効率的であるとともに、動作させるのが容易であり、その結果、ユーザ体験を向上させる。
【００６９】
オプションとして、加速度センサ61は、モバイル端末装置の加速度が事前設定されたしきい値以下であることを判定するように特に構成され、ジャイロスコープセンサ62は、モバイル端末装置の傾斜角度が事前設定された傾斜範囲を満たすことを判定するように特に構成され、さらにコントローラ63は、加速度センサ61によって獲得された加速度が事前設定されたしきい値以下であり、さらにジャイロスコープセンサ62によって獲得された傾斜角度が事前設定された傾斜範囲を満たす場合、モバイル端末装置の動き状態および傾斜角度が事前設定された条件を満たすと判定し、さらにアプリケーションオブジェクトを呼び出すように特に構成される。
【００７０】
オプションとして、コントローラ63は、ジャイロスコープセンサ62が、モバイル端末装置の傾斜角度が事前設定された傾斜範囲を満たすことを判定する前に、モバイル端末装置が、ロック解除された状態にあることを判定するようにさらに構成される。
【００７１】
オプションとして、アプリケーションオブジェクトの呼び出しを制御する前に、コントローラ63は、現在のインターフェース上で実行されているアプリケーションを獲得するようにさらに構成され、現在のインターフェース上で実行されているアプリケーションを獲得した後に、コントローラ53は、モバイル端末装置の現在のインターフェース上で実行されているアプリケーションに対応するアプリケーション設定、またはモバイル端末装置の現在のインターフェース上で実行されているアプリケーションに対応する動作パラメータ設定、またはモバイル端末装置の現在のインターフェース上で実行されているアプリケーションに対応するアプリケーションショートカットを呼び出す。
【００７２】
オプションとして、現在のインターフェース上で実行されており、さらにコントローラ63によって獲得されたアプリケーションが、ビデオ再生である場合、コントローラ63は、ビデオ再生の一時停止を制御し、ディスプレイ64は、情報ショートカット、キーボードショートカット、連絡先ショートカット、ブラウザショートカット、および背景で実行されているアプリケーションのショートカットのうちの1つまたは複数のショートカットの組み合わせを表示するように構成される。
【００７３】
現在のインターフェース上で実行されており、さらにコントローラ63によって獲得されたアプリケーションが、ウェブページブラウズである場合、ディスプレイ64は、ブラウズされるウェブページのサムネイル画像を表示するように構成される。
【００７４】
現在のインターフェース上で実行されており、さらにコントローラ63によって獲得されたアプリケーションが、電子書籍ブラウズである場合、ディスプレイ64は、以下のアプリケーション設定、すなわち、お気に入りを追加すること、明るさを調整すること、セクションを表示すること、およびフォントサイズを調整することのうちの1つまたは複数の組み合わせを表示するように構成される。
【００７５】
本発明のこの実施形態において提供されるモバイル端末装置において、機能モジュールの機能は、前述した方法実施形態における方法に応じて特に実施され得るものと理解され得る。特定の実施プロセスの詳細に関して、本明細書でさらに説明することはしない、前述した方法実施形態の関連する説明を参照することができる。
【００７６】
前述のことから理解され得るとおり、本発明のこの実施形態において提供されるモバイル端末装置によれば、モバイル端末装置の状態変化が、ユーザの意識した操作と見なされ、さらにアプリケーションオブジェクトが呼び出される必要があるかどうかが、モバイル端末装置の状態に応じて判定され、このことは、便利で、効率的であるとともに、動作させるのが容易である。モバイル端末装置の動き状態および傾斜角度が事前設定された条件を満たすことを正確に判定することができる、加速度センサおよびジャイロスコープセンサが、モバイル端末装置の状態を判定するのに使用される。さらに、アプリケーションオブジェクトが呼び出される際、モバイル端末装置の現在のインターフェース上で実行されているアプリケーションがまず、獲得され、次に、そのアプリケーションに対応するアプリケーションオブジェクトが、そのアプリケーションに応じて呼び出され、ただし、アプリケーションオブジェクトは、ユーザによって事前設定されていることが可能であり、したがって、呼び出されるアプリケーションオブジェクトは、より適切であり、ユーザ要件をよりよく満たし、このことが、ユーザ体験を大幅に向上させる。
【００７７】
説明の便宜と簡明のため、前述した装置、および装置内のユニット若しくはモジュールの特定の動作プロセスについての詳細に関して、本明細書でさらに説明することはしない、前述した方法実施形態における対応するプロセスを参照することができることが、当業者には明確に理解され得る。
【００７８】
方法実施形態のステップのすべてまたは一部分は、妥当なハードウェアに命令するプログラムによって実施され得ることが当業者には理解され得る。このプログラムは、コンピュータ可読記憶媒体の中に格納されることが可能であり、本発明の実施形態において説明される方法のステップのすべてまたは一部分を実行するようコンピュータデバイス(パーソナルコンピュータ、サーバ、またはネットワークデバイスであり得る)に命令するためのいくつかの命令を含む。前述した記憶媒体には、USBフラッシュドライブ、リムーバブルハードディスク、読み取り専用メモリ(Read-Only Memory、ROM)、ランダムアクセスメモリ(Random Access Memory、RAM)、磁気ディスク、または光ディスクなどの、プログラムコードを格納することができる任意の媒体が含まれる。
【００７９】
本発明において提供されるアプリケーションオブジェクトを呼び出すための方法、およびモバイル端末装置が、以上に詳細に説明されてきた。当業者は、本発明の実施形態の考え方により特定の実施様態および応用範囲に変形を加えることができる。したがって、本明細書の内容は、本発明を限定するものと理解されるべきではない。
【符号の説明】
【００８０】
1  モバイル電話機
2  モバイル電話機画面
3  アプリケーションオブジェクト
61  加速度センサ
62  ジャイロスコープセンサ
63  コントローラ
64  ディスプレイ
【図１】
2015526777.tif 000003
【図２】
2015526777.tif 000004
【図３ａ】
2015526777.tif 000005
【図３ｂ】
2015526777.tif 000006
【図４】
2015526777.tif 000007
【図５】
2015526777.tif 000008
【図６】
2015526777.tif 000009
【手続補正書】
【提出日】平成26年11月28日(2014.11.28)
【手続補正１】
【補正対象書類名】明細書
【補正対象項目名】００７１
【補正方法】変更
【補正の内容】
【００７１】
オプションとして、アプリケーションオブジェクトの呼び出しを制御する前に、コントローラ63は、現在のインターフェース上で実行されているアプリケーションを獲得するようにさらに構成され、現在のインターフェース上で実行されているアプリケーションを獲得した後に、コントローラ63は、モバイル端末装置の現在のインターフェース上で実行されているアプリケーションに対応するアプリケーション設定、またはモバイル端末装置の現在のインターフェース上で実行されているアプリケーションに対応する動作パラメータ設定、またはモバイル端末装置の現在のインターフェース上で実行されているアプリケーションに対応するアプリケーションショートカットを呼び出す。
【国際調査報告】
2015526777.tif 000010
2015526777.tif 000011
2015526777.tif 000012
2015526777.tif 000013